(57)【特許請求の範囲】
【請求項１】
表示機能及び音声出力機能を有する出力機器及び複数の家電機器が接続されている広告音制御装置であって、
前記複数の家電機器の夫々に対応する夫々のサービスアプリケーションと当該サービスアプリケーションに関連する広告のアプリケーションとを対応させて記憶する記憶部と、
前記夫々のサービスアプリケーションを前記出力機器の表示画面に表示し、前記表示画面に表示されている複数のサービスアプリケーションの中から一のサービスアプリケーションを選択し、前記記憶部で、当該一のサービスアプリケーションに対応して記憶されている広告のアプリケーションを選択し、選択した広告のアプリケーションの音声を前記出力機器から出力する制御部とを備え、
前記制御部は、各前記サービスアプリケーションを表す画面であって多層構造からなる画面の先頭画面を前記表示画面に表示し、前記複数の家電機器のうちいずれかからの動作終了通知を受けて、前記動作終了通知に対応する家電機器のサービスアプリケーションを前記一のサービスアプリケーションとして選択するとともに、当該サービスアプリケーションの下層画面を表示する
広告音制御装置。
【請求項２】
前記制御部は、
各前記サービスアプリケーションを表す画面を前記出力機器の表示画面の第１の表示領域に表示し、前記複数のサービスアプリケーションのうちの少なくとも１以上の各前記サービスアプリケーションに対応する前記広告のアプリケーションを表す画面を前記出力機器の表示画面の第２の表示領域に表示し、
前記サービスアプリケーションの下層画面の表示が指示された場合において、当該サービスアプリケーションに関連する広告のアプリケーションが前記第２の表示領域に表示されているときには、当該下層画面を前記第１の表示領域内で拡大表示する
請求項１記載の広告音制御装置。
【請求項３】
前記制御部は、
前記サービスアプリケーションの下層画面の表示が指示された場合において、当該サービスアプリケーションに関連する広告のアプリケーションが前記第２の表示領域に表示されていないときには、当該下層画面を前記第１の表示領域と前記第２の表示領域とを合わせた表示領域内で拡大表示する
請求項２記載の広告音制御装置。
【請求項４】
前記制御部は、
前記下層画面から前記先頭画面に戻る指示を受けると、音声出力中の広告のアプリケーションの音声の出力を停止する
請求項３記載の広告音制御装置。
【請求項５】
前記制御部は、
前記下層画面から一つ上の階層の画面に戻る指示がされた場合であっても、音声出力中の広告のアプリケーションの音声の出力を継続して行う
請求項４記載の広告音制御装置。
【請求項６】
前記制御部は、
前記下層画面が表示されているサービスアプリケーション以外の画面表示が選択された場合、音声出力中の広告のアプリケーションの音声の出力を停止する
請求項５記載の広告音制御装置。
【請求項７】
前記制御部は、
前記下層画面から前記先頭画面に戻る指示を受けると、音声出力中の広告のアプリケーションの音声の出力を停止する
請求項１記載の広告音制御装置。
【請求項８】
前記制御部は、
前記下層画面から一つ上の階層の画面に戻る指示がされた場合であっても、音声出力中の広告のアプリケーションの音声の出力を継続して行う
請求項１記載の広告音制御装置。
【請求項９】
前記制御部は、
前記下層画面が表示されているサービスアプリケーション以外の画面表示が選択された場合、音声出力中の広告のアプリケーションの音声の出力を停止する
請求項１記載の広告音制御装置。
【請求項１０】
表示機能及び音声出力機能を有する出力機器及び複数の家電機器が接続され、前記複数の家電機器の夫々に対応する夫々のサービスアプリケーションと当該サービスアプリケーションに関連する広告のアプリケーションとを対応させて記憶する記憶部を有する機器に搭載される集積回路であって、
前記夫々のサービスアプリケーションを前記出力機器の表示画面に表示し、前記表示画面に表示されている複数のサービスアプリケーションの中から一のサービスアプリケーションを選択し、前記記憶部で、当該一のサービスアプリケーションに対応して記憶されている広告のアプリケーションを選択し、選択した広告のアプリケーションの音声を前記出力機器から出力する制御部を備え、
前記制御部は、各前記サービスアプリケーションを表す画面であって多層構造からなる画面の先頭画面を前記表示画面に表示し、前記複数の家電機器のうちいずれかからの動作終了通知を受けて、前記動作終了通知に対応する家電機器のサービスアプリケーションを前記一のサービスアプリケーションとして選択するとともに、当該サービスアプリケーションの下層画面を表示する
を備える集積回路。
【請求項１１】
表示機能及び音声出力機能を有する出力機器及び複数の家電機器が接続され、前記複数の家電機器の夫々に対応する夫々のサービスアプリケーションと当該サービスアプリケーションに関連する広告のアプリケーションとを対応させて記憶する記憶部を有する機器において行われる広告音制御方法であって、
前記夫々のサービスアプリケーションを前記出力機器の表示画面に表示する表示ステップと、
前記表示画面に表示されている複数のサービスアプリケーションの中から一のサービスアプリケーションを選択する第１選択ステップと、
前記記憶部で当該一のサービスアプリケーションに対応して記憶されている広告のアプリケーションを選択する第２選択ステップと、
選択した広告のアプリケーションの音声を前記出力機器から出力する音声出力ステップと、
を有し、
前記表示ステップは、各前記サービスアプリケーションを表す画面であって多層構造からなる画面の先頭画面を前記表示画面に表示し、
前記第１選択ステップは、前記複数の家電機器のうちいずれかからの動作終了通知を受けて、前記動作終了通知に対応する家電機器のサービスアプリケーションを前記一のサービスアプリケーションとして選択する
広告音制御方法。
【請求項１２】
表示機能及び音声出力機能を有する出力機器及び複数の家電機器が接続され、前記複数の家電機器の夫々に対応する夫々のサービスアプリケーションと当該サービスアプリケーションに関連する広告のアプリケーションとを対応させて記憶する記憶部を有する機器において広告音を制御するための処理を実行する広告音制御プログラムであって、
前記処理は、
前記夫々のサービスアプリケーションを前記出力機器の表示画面に表示する表示ステップと、
前記表示画面に表示されている複数のサービスアプリケーションの中から一のサービスアプリケーションを選択する第１選択ステップと、
前記記憶部で当該一のサービスアプリケーションに対応して記憶されている広告のアプリケーションを選択する第２選択ステップと、
選択した広告のアプリケーションの音声を前記出力機器から出力する音声出力ステップと、
を含み、
前記表示ステップは、各前記サービスアプリケーションを表す画面であって多層構造からなる画面の先頭画面を前記表示画面に表示し、
前記複数の家電機器のうちいずれかからの動作終了通知を受けると、
前記表示ステップは、前記動作終了通知に対応する家電機器のサービスアプリケーションの下層画面を前記表示画面に表示し、
前記第１選択ステップは、前記動作終了通知に対応する家電機器のサービスアプリケーションを前記一のサービスアプリケーションとして選択する
広告音制御プログラム。
【請求項１３】
表示機能及び音声出力機能を有する出力機器及び複数の家電機器が接続され、前記複数の家電機器の夫々に対応する夫々のサービスアプリケーションと当該サービスアプリケーションに関連する広告のアプリケーションとを対応させて記憶する記憶部を有する機器において広告音を制御するための処理を実行する広告音制御プログラムを記録したコンピュータが読み取り可能な記録媒体であって、
前記処理は、
前記夫々のサービスアプリケーションを前記出力機器の表示画面に表示する表示ステップと、
前記表示画面に表示されている複数のサービスアプリケーションの中から一のサービスアプリケーションを選択する第１選択ステップと、
前記記憶部で当該一のサービスアプリケーションに対応して記憶されている広告のアプリケーションを選択する第２選択ステップと、
選択した広告のアプリケーションの音声を前記出力機器から出力する音声出力ステップと、
を含み、
前記表示ステップは、各前記サービスアプリケーションを表す画面であって多層構造からなる画面の先頭画面を前記表示画面に表示し、
前記複数の家電機器のうちいずれかからの動作終了通知を受けると、
前記表示ステップは、前記動作終了通知に対応する家電機器のサービスアプリケーションの下層画面を前記表示画面に表示し、
前記第１選択ステップは、前記動作終了通知に対応する家電機器のサービスアプリケーションを前記一のサービスアプリケーションとして選択する
広告音制御プログラムを記録したコンピュータが読み取り可能な記録媒体。
【発明の詳細な説明】
【技術分野】
【０００１】
本発明は、複数の広告の中から音声出力する広告を制御する技術に関する。
【背景技術】
【０００２】
近年、パーソナルコンピュータにより複数の広告データをディスプレイに表示し、広告データに関する情報を音声出力することが行われている（例えば、特許文献１参照。）。
また、ユーザ端末が音声による広告を再生するウェブページにアクセスし、広告を表示したときに、ユーザ端末において当該ウェブページの広告の音声を再生することが行われている（例えば、特許文献２参照。）。
【先行技術文献】
【特許文献】
【０００３】
【特許文献１】特開２００４−８６１２０号公報
【特許文献２】特開２００３−３６３８６号公報
【発明の概要】
【発明が解決しようとする課題】
【０００４】
しかしながら、前者の従来技術では、複数の広告データのうち音声出力される広告データがユーザの興味を引く広告データとは限らない。そして、ユーザが興味を引かない広告データの音声出力はユーザに不快感を与えてしまい、かえって広告効果が低下するという恐れがある。また、複数の広告データの音声制御の記述がないため、２以上の広告データに関する情報が同時に音声出力されてしまうことも想定され、この場合、ユーザは各音声を認識できず、ユーザに不快感を与えてしまい、かえって広告効果が低下するという恐れがある。
【０００５】
後者の従来技術では、ウェブページと広告との関連性の記述がないため、ユーザがアクセスしたウェブページに関連する広告の音声が出力されるとは限らず、ウェブページに関連しない広告の音声が出力されても広告効果が期待できない。また、複数の広告の音声制御の記述がないため、２以上の広告の音声出力が同時になされてしまうことも想定され、この場合、ユーザは各音声を認識できず、ユーザに不快感を与えてしまい、かえって広告効果が低下するという恐れがある。
【０００６】
そこで、本発明は、複数の広告が表示される場合に、ユーザの興味を引く可能性が高い広告の音声を他の広告の音声と混在することを回避しつつ出力することを可能にする広告音制御装置、集積回路、広告音制御方法、広告音制御プログラム及び記録媒体を提供することを目的とする。
【課題を解決するための手段】
【０００７】
上記目的を達成するために本発明の広告音制御装置は、表示機能及び音声出力機能を有する出力機器及び複数の家電機器が接続されている広告音制御装置であって、前記複数の家電機器の夫々に対応する夫々のサービスアプリケーションと当該サービスアプリケーションに関連する広告のアプリケーションとを対応させて記憶する記憶部と、前記夫々のサービスアプリケーションを前記出力機器の表示画面に表示し、前記表示画面に表示されている複数のサービスアプリケーションの中から一のサービスアプリケーションを選択し、前記記憶部で当該一のサービスアプリケーションに対応して記憶されている広告のアプリケーションを選択し、選択した広告のアプリケーションの音声を前記出力機器から出力する制御部と、を備える。
【発明の効果】
【０００８】
上記の広告音制御装置によれば、選択されたサービスアプリケーションに対応する広告のアプリケーションが選択され、選択された広告のアプリケーションの音声出力が行われるので、ユーザの興味を引く可能性が高い広告のアプリケーションの音声を他の広告のアプリケーションの音声と混在することを回避しつつ出力することが可能になる。
【図面の簡単な説明】
【０００９】
【図１】第１の実施の形態のネットワーク構成図。
【図２】図１の制御部の機能構成図。
【図３】図１の表示装置に表示される先頭画面としてのポータル画面の一例を示す図。
【図４】図１の表示装置に表示されるサービスアプリの詳細画面の一例を示す図。
【図５】図１の記憶部に記憶されるライフターゲティングテーブルの一例を示す図。
【図６】図１の記憶部に記憶される再生音選択テーブルの一例を示す図。
【図７】図２の制御部が行う広告音制御処理（ユーザ選択）の流れを示すフローチャート。
【図８】図７のサービスアプリの表示処理の流れを示すフローチャート。
【図９】図７の広告音声出力処理の流れを示すフローチャート。
【図１０】図７の広告音声出力処理の流れを示すフローチャート。
【図１１】図７の上層／先頭画面遷移処理の流れを示すフローチャート。
【図１２】図１の表示装置に先頭画面として表示されるポータル画面の一例を示す図。
【図１３】図１の表示装置に表示される画面の一例を示す図。
【図１４】図１の表示装置に表示される画面の一例を示す図。
【図１５】図１の表示装置に表示されるポータル画面の一例を示す図。
【図１６】図１の表示装置に表示される画面の一例を示す図。
【図１７】図１の表示装置に表示される画面の一例を示す図。
【図１８】（ａ）〜（ｃ）は再生音選択テーブルの一例を示す図。
【図１９】再生音選択テーブルの一例を示す図。
【図２０】図１の表示装置に表示される画面の一例を示す図。
【図２１】図１の表示装置に表示される画面の一例を示す図。
【図２２】図２の制御部が行う広告音制御処理（家電機器動作完了）の流れを示すフローチャート。
【図２３】図１の表示装置に表示される画面の一例を示す図。
【図２４】図１の表示装置に表示される画面の一例を示す図。
【発明を実施するための形態】
【００１０】
本発明の一態様である第１の広告音制御装置は、表示機能及び音声出力機能を有する出力機器及び複数の家電機器が接続されている広告音制御装置であって、前記複数の家電機器の夫々に対応する夫々のサービスアプリケーションと当該サービスアプリケーションに関連する広告のアプリケーションとを対応させて記憶する記憶部と、前記夫々のサービスアプリケーションを前記出力機器の表示画面に表示し、前記表示画面に表示されている複数のサービスアプリケーションの中から一のサービスアプリケーションを選択し、前記記憶部で当該一のサービスアプリケーションに対応して記憶されている広告のアプリケーションを選択し、選択した広告のアプリケーションの音声を前記出力機器から出力する制御部と、を備える。
【００１１】
本発明の一態様である第１の集積回路は、表示機能及び音声出力機能を有する出力機器及び複数の家電機器が接続され、前記複数の家電機器の夫々に対応する夫々のサービスアプリケーションと当該サービスアプリケーションに関連する広告のアプリケーションとを対応させて記憶する記憶部を有する機器に搭載される集積回路であって、前記夫々のサービスアプリケーションを前記出力機器の表示画面に表示し、前記表示画面に表示されている複数のサービスアプリケーションの中から一のサービスアプリケーションを選択し、前記記憶部で当該一のサービスアプリケーションに対応して記憶されている広告のアプリケーションを選択し、選択した広告のアプリケーションの音声を前記出力機器から出力する制御部を備える。
【００１２】
本発明の一態様である第１の広告音制御方法は、表示機能及び音声出力機能を有する出力機器及び複数の家電機器が接続され、前記複数の家電機器の夫々に対応する夫々のサービスアプリケーションと当該サービスアプリケーションに関連する広告のアプリケーションとを対応させて記憶する記憶部を有する機器において行われる広告音制御方法であって、前記夫々のサービスアプリケーションを前記出力機器の表示画面に表示する表示ステップと、前記表示画面に表示されている複数のサービスアプリケーションの中から一のサービスアプリケーションを選択する第１選択ステップと、前記記憶部で当該一のサービスアプリケーションに対応して記憶されている広告のアプリケーションを選択する第２選択ステップと、選択した広告のアプリケーションの音声を前記出力機器から出力する音声出力ステップと、を有する。
【００１３】
本発明の一態様である第１の広告音制御プログラムは、表示機能及び音声出力機能を有する出力機器及び複数の家電機器が接続され、前記複数の家電機器の夫々に対応する夫々のサービスアプリケーションと当該サービスアプリケーションに関連する広告のアプリケーションとを対応させて記憶する記憶部を有する機器において行われる広告音制御プログラムであって、前記夫々のサービスアプリケーションを前記出力機器の表示画面に表示する表示ステップと、前記表示画面に表示されている複数のサービスアプリケーションの中から一のサービスアプリケーションを選択する第１選択ステップと、前記記憶部で当該一のサービスアプリケーションに対応して記憶されている広告のアプリケーションを選択する第２選択ステップと、選択した広告のアプリケーションの音声を前記出力機器から出力する音声出力ステップと、を有する。
【００１４】
本発明の一態様である第１の記録媒体は、表示機能及び音声出力機能を有する出力機器及び複数の家電機器が接続され、前記複数の家電機器の夫々に対応する夫々のサービスアプリケーションと当該サービスアプリケーションに関連する広告のアプリケーションとを対応させて記憶する記憶部を有する機器において行われる広告音制御プログラムを記録したコンピュータが読み取り可能な記録媒体であって、前記夫々のサービスアプリケーションを前記出力機器の表示画面に表示する表示ステップと、前記表示画面に表示されている複数のサービスアプリケーションの中から一のサービスアプリケーションを選択する第１選択ステップと、前記記憶部で当該一のサービスアプリケーションに対応して記憶されている広告のアプリケーションを選択する第２選択ステップと、選択した広告のアプリケーションの音声を前記出力機器から出力する音声出力ステップと、を有する広告音制御プログラムを記録したコンピュータが読み取り可能な記録媒体である。
【００１５】
上記の広告音制御装置、集積回路、広告音制御方法、広告音制御プログラム、及び記録媒体の夫々によれば、選択されたサービスアプリケーションに対応する広告のアプリケーションが選択され、選択された広告のアプリケーションの音声出力が行われるので、ユーザの興味を引く可能性が高い広告のアプリケーションの音声を他の広告のアプリケーションの音声と混在することを回避しつつ出力することが可能になる。
【００１６】
本発明の一態様である第２の広告音制御装置は、第１の広告音制御装置において、前記制御部は、各前記サービスアプリケーションを表す画面であって多層構造からなる画面の先頭画面を前記出力機器に表示し、サービスアプリケーションの下層画面の表示の指示を受けて、当該サービスアプリケーションを前記一のサービスアプリケーションとして選択する。
【００１７】
これによれば、下層画面の表示が指示されたサービスアプリケーションに関連する広告のアプリケーションの音声が出力される。下層画面の表示が指示されたサービスアプリケーションはユーザが関心を有するサービスアプリケーションであると想定されることから、広告のアプリケーションの音声出力により大きな広告効果が得られる可能性がある。
【００１８】
本発明の一態様である第３の広告音制御装置は、第２の広告音制御装置において、前記下層画面の表示の指示は、前記出力機器を操作するためのリモコン装置において行われる。
【００１９】
これによれば、ユーザがリモコン装置を用いて下層画面の表示の指示を行ったサービスアプリケーションのサービスはユーザがサービスを受けようとしているサービスであることが想定され、サービスを受けようとしているサービスアプリケーションに関連する広告はユーザの興味を引く可能性が高いと考えられることから、大きな広告効果が得られる可能性がある。
【００２０】
本発明の一態様である第４の広告音制御装置は、第２の広告音制御装置において、前記下層画面の表示の指示は、前記家電機器の動作終了通知であり、前記制御部は、前記動作終了通知を受けた前記家電機器に対応するサービスアプリケーションを前記一のサービスアプリケーションとして選択する。
【００２１】
これによれば、ユーザが利用していた家電機器に対応するサービスアプリケーションに関連する広告はユーザの興味を引く可能性が高いと考えられることから、大きな広告効果を得る可能性がある。
【００２２】
本発明の一態様である第５の広告音制御装置は、第２の広告音制御装置において、前記制御部は、各前記サービスアプリケーションを表す画面を前記出力機器の表示画面の第１の表示領域に表示し、前記複数のサービスアプリケーションのうちの少なくとも１以上の各前記サービスアプリケーションに対応する前記広告のアプリケーションを表す画面を前記出力機器の表示画面の第２の表示領域に表示し、前記サービスアプリケーションの下層画面の表示が指示された場合において、当該サービスアプリケーションに関連する広告のアプリケーションが前記第２の表示領域に表示されているときには、当該下層画面を前記第１の表示領域内で拡大表示する。
【００２３】
これによれば、下層画面の表示が指示されたサービスアプリケーションに関連する広告のアプリケーションが第２の表示領域に表示されているときには、当該サービスアプリケーションの下層画面が第１の表示領域内で拡大表示される。このため、下層画面の表示が指示されたサービスアプリケーションに関連する広告のアプリケーションを表示しつつ、サービスアプリケーションの下層画面の表示のために出力機器の表示画面を有効に活用できる。
【００２４】
本発明の一態様である第６の広告音制御装置は、第５の広告音制御装置において、前記制御部は、前記サービスアプリケーションの下層画面の表示が指示された場合において、当該サービスアプリケーションに関連する広告のアプリケーションが前記第２の表示領域に表示されていないときには、当該下層画面を前記第１の表示領域と前記第２表示領域とを合わせた表示領域内で拡大表示する。
【００２５】
これによれば、下層画面の表示が指示されたサービスアプリケーションに関連する広告のアプリケーションが第２の表示領域に表示されていないときには、当該サービスアプリケーションの下層画面が第１の表示領域と第２の表示領域とを合わせた表示領域内で拡大表示される。このため、サービスアプリケーションの下層画面の表示のために出力機器の表示画面を有効に活用できる。
【００２６】
本発明の一態様である第７の広告音制御装置は、第１の広告音制御装置において、前記複数の広告のアプリケーションの夫々について、広告のアプリケーションの１以上の音声ファイルを優先順位を付けて記憶する音声記憶部を更に有し、前記制御部は、前記音声記憶部で、前記音声記憶部に記憶されている、前記一のサービスアプリケーションに関連する前記広告のアプリケーションの音声ファイルの中から、前記優先順位に基づいて一の音声ファイルを選択し、選択した音声ファイルの音声を前記出力機器から出力する。
【００２７】
これによれば、広告のアプリケーションに対応する音声ファイルが複数ある場合であっても、優先順位に基づいて一の音声ファイルを選択して、選択された一の音声ファイルの音声を出力するので、音声が混在する状況を防止できる。
【００２８】
本発明の一態様である第８の広告音制御装置は、第２の広告音制御装置において、前記制御部は、前記下層画面から前記先頭画面に戻る指示を受けると、音声出力中の広告のアプリケーションの音声の出力を停止する。
【００２９】
これによれば、ユーザの関心が下がった考えられる広告の音声が継続して出力される状況を回避できる。
本発明の一態様である第９の広告音制御装置は、第２の広告音制御装置において、前記制御部は、前記下層画面から一つ上の階層の画面に戻る指示がされた場合であっても、音声出力中の広告のアプリケーションの音声の出力を継続して行う。
【００３０】
これによれば、ユーザの関心はまだ継続していると想定される広告の音声出力を継続することによって、広告効果が得られる可能性がある。
本発明の一態様である第１０の広告音制御装置は、第２の広告音制御装置において、前記制御部は、前記下層画面が表示されているサービスアプリケーション以外の画面表示が選択された場合、音声出力中の広告のアプリケーションの音声の出力を停止する。
【００３１】
これによれば、ユーザの関心が下がった考えられる広告の音声が継続して出力される状況を回避できる。
以下、本発明の実施の形態について図面を参照しつつ説明する。
【００３２】
≪第１の実施の形態≫
以下、本発明の第１の実施の形態について図面を参照しつつ説明する。
＜ネットワーク構成＞
図１は本実施の形態のネットワーク構成図である。図１のネットワークには、制御端末装置１００と、表示装置１０１と、リモコン１０２と、家電機器１０３〜１０６とが含まれている。更に、図１のネットワークには、サービスアプリサーバ１０７と、広告アプリサーバ１０８とが含まれている。
【００３３】
制御端末装置１００は、広告音制御装置としての役割を果たし、例えば、デジタルレコーダ機器である。
制御端末装置１００は、インターネットＮＷ２を介してサービスアプリサーバ１０７と広告アプリサーバ１０８とに接続されている。サービスアプリサーバ１０７は、宅内の家電機器を用いたサービスを実現するためのアプリケーション（以下、「サービスアプリ」と言う。）を配信するサーバであり、制御端末装置１００はインターネットＮＷ２を介してサービスアプリサーバ１０７からサービスアプリの配信を受ける。また、広告アプリサーバ１０８は、広告のアプリケーション（以下、「広告アプリ」と言う。）を配信するサーバであり、制御端末装置１００は、インターネットＮＷ２を介して広告アプリサーバ１０８から広告アプリの配信を受ける。
【００３４】
制御端末装置１００は、表示装置１０１と接続されている。表示装置１００は、表示機能及び音声出力機能を有する出力機器の一例に該当する。制御端末装置１００と表示装置１０１とは、例えばＨＤＭＩ（High-Definition Multimedia Interface）ケーブルに代表されるデジタルケーブルなどで接続されている。制御端末装置１００は、表示装置１０１に対して映像データ及び音声データを出力する。表示装置１０１は、制御端末装置１００から入力された映像データに基づき映像をディスプレイに表示し、音声データに基づきスピーカから音声を出力する。リモコン１０２は、例えば、表示装置１０１上でのユーザの操作指示に係る操作指示信号を、表示装置１０１を介して制御端末装置１００へ出力する。
【００３５】
制御端末装置１００は、宅内ネットワークＮＷ１を介して家電機器１０３〜１０６に接続されている。但し、家電機器１０３〜１０６は、宅内にある家電機器、例えば、洗濯機、炊飯器、体重計、エアコン、冷蔵庫、電子レンジなどである。但し、家電機器１０３〜１０６はこれらに限られるものではない。
【００３６】
＜制御端末装置のハードウェア構成＞
制御端末装置１００は、図１に示すように、通信インタフェース部１０９と、インタフェース部１１０と、記憶部１１１と、制御部１１２と、音声出力部１１３と、映像出力部１１４と、家電機器制御部１１５とを備える。
【００３７】
通信インタフェース部１０９は、インターネットＮＷ２に接続され、制御端末装置１００がインターネットＮＷ２に接続されたサービスアプリサーバ１０７と広告アプリサーバ１０８などとデータの交換を行うためのインタフェースである。例えば、制御部１１２は、通信インタフェース部１０９を介して、サービスアプリサーバ１０７からサービスアプリの配信を受けてサービスアプリを記憶部１１１に記憶し、広告アプリサーバ１０８から広告アプリの配信を受け、広告アプリを記憶部１１１に記憶する。
【００３８】
更に、通信インタフェース部１０９は、宅内ネットワークＮＷ１に接続され、制御端末装置１００が宅内ネットワークＮＷ１に接続された家電機器１０３〜１０６などとデータの交換を行うためのインタフェースである。例えば、家電機器制御部１１５は、通信インタフェース部１０９を介して、家電機器１０３〜１０６などに対して操作命令の信号を送信し、家電機器１０３〜１０６などから操作履歴の信号又は動作状態の信号を受け取り、受け取った信号を制御部１１２へ出力する。
【００３９】
インタフェース部１１０は、制御端末装置１００が表示装置１０１とデータの交換を行うためのインタフェースである。
記憶部１１１は、例えば電源が供給されなくても記憶内容を保持することができる不揮発な記憶デバイスである。記憶部１１１は、各種制御プログラムや各種アプリケーションプログラムなどのプログラムを記憶保持している。例えば、記憶部１１１は、図７から図１１及び図２２に示す動作フローを記述した、ユーザが選択した家電機器又は動作が完了した家電機器のサービスアプリに対応する広告アプリの音声出力を行うためのプログラムを記憶保持する。
【００４０】
また、記憶部１１１は、サービスアプリや広告アプリを記憶保持する。さらに、記憶部１１１は、後述するライフターゲティングテーブル２１０（図５参照）及び再生音選択テーブル２１１（図６参照）を記憶し、音声出力中フラグを記憶保持する。本実施の形態では、音声出力中フラグは１つのみであるとし、音声出力中フラグは広告アプリの音声出力中であれば「ＯＮ」、広告の音声出力中でなければ「ＯＦＦ」とする。なお、音声出力中フラグは１ビットである必要はなく、また、音声出力中フラグを広告アプリ毎に用意してもよい。
【００４１】
制御部１１２は、例えば、ＣＰＵ（Central Processing Unit）などである。制御部１１２は、記憶部１１１に記憶保持されているプログラムを読み出し、読み出したプログラムを実行することによって、広告端末装置１００全体の各種制御や各種演算を行う。例えば、制御部１１２は、記憶部１１１から図７から図１１及び図２２に示す動作フローを記述したプログラムを読み出し、読み出したプログラムを実行する。
【００４２】
音声出力部１１３は、制御部１１２によって制御され、例えば、制御部１１２が選択した広告アプリに関係する情報の音声信号をインタフェース１１０を介して表示装置１０１へ出力する。映像出力部１１４は、制御部１１２によって制御され、例えば、サービスアプリ及び広告アプリに関する情報の映像信号又は画像信号をインタフェース１１０を介して表示装置１０１へ出力する。
【００４３】
家電機器制御部１１５は、制御部１１２によって制御され、宅内ネットワークＮＷ１に接続された家電機器１０３〜１０６などの動作を通信インタフェース部１１０を介して制御し、家電機器１０３〜１０６などから通信インタフェース部１１０を介して操作履歴の信号又は動作状態の信号などを受信する。
【００４４】
＜制御部の機能構成＞
図２は図１の制御端末装置１００内の制御部１１２の機能構成図である。制御部１１２は記憶部１１１からそれに記憶保持されている図７〜図１１に示す処理フローを記述したプログラムを読み出し、読み出したプログラムを実行する。これによって、制御部１１２は、入力情報処理部２０４、アプリ・広告識別部２０５、ライフターゲティング管理部２０６、音声出力判断部２０７、広告音声出力部２０８、及びサービスアプリ表示部２０９として機能する。
【００４５】
以下、制御部１１２の各機能部の処理内容を説明する前に、制御部１１２に入力される情報について説明する。
制御部１１２に入力されるデータは、入力情報２０１、サービスアプリ２０２、広告アプリ２０３である。
【００４６】
入力情報２０１は、表示装置１０１上で、リモコン１０２を介し、ユーザによって入力された情報、又は、家電機器制御部１１５から入力される情報である。
サービスアプリは、１つ又は複数の家電機器を利用したサービスをユーザが享受できるアプリケーションである。別の言い方をすれば、サービスアプリは、１つ又は複数の家電機器を用いて多種多様のサービスを利用するアプリケーションである。上述したように、サービスアプリは、サービスアプリサーバ１０７から制御端末装置１００に配信され、記憶部１１１に保存される。
【００４７】
但し、本実施の形態では、サービスアアプリ２０２は、音声出力の機能を有しないとする。内容を更新することなく使用するサービスアプリには音声出力の機能を持たせず、内容を適宜更新する広告アプリに音声出力の機能を持たせる。こうすることによって、サービスアプリの簡素化を図りつつ、ユーザへの訴求が必要な広告のアプリケーションに音声出力の機能を持たせた、効率のよいシステムを構築することができる。なお、サービスアプリ２０２が、内容を適宜変更することが可能であり、また、音声出力の機能を有していてもよいことは言うまでもない。
【００４８】
例えば、サービスアプリとして、次のサービスアプリが想定される。（１）洗濯機をリモート操作するサービスアプリ及び洗濯機の環境を配慮した使い方の提案を目的するサービスアプリ（以下、これらを「洗濯機アプリ」と言う。）、（２）炊飯器をリモートで操作するサービスアプリ及び炊飯器を用いたレシピ集の提供を目的とするサービスアプリ（以下、これらを「炊飯器アプリ」と言う。）、（３）体重計や血圧計から収集した情報から簡易な健康診断を実施するサービスアプリ及び体重計や血圧計から収集した情報から体重や血圧の時間経過をユーザに提供する健康チェックを目的とするサービスアプリ（以下、これらを「健康チェックアプリ」と言う。）、（４）電子レンジを使ったダイエットレシピや美容レシピの提供を目的とするサービスアプリ（以下、これを「電子レンジアプリ」と言う。）などである。
【００４９】
サービスアプリ２０２には、サービスアプリ２０２に関する属性情報として、例えば、キーワードが付与されている。例えば、洗濯機アプリのキーワードとして、「洗剤」、「洗濯」、又は「家事」等が考えられる。
【００５０】
広告アプリは、広告を音声でユーザに提示するアプリケーションである。但し、広告アプリは、（１）広告を音声のみでユーザに提示するアプリケーション、（２）広告を音声に加えて動画若しくは画像でユーザに提示するアプリケーション、を含む。上述したように、広告アプリ２０３は、広告アプリサーバ１０８から制御端末装置１００に配信され、記憶部１１１に保存される。
【００５１】
例えば、広告アプリ２０３として、次のアプリケーションが想定される。（１）洗濯機で利用する洗剤の広告アプリ、（２）健康向上のためのフィットネスクラブの広告アプリ、（３）電子レンジでも利用可能な高温対応ラップの広告アプリ、（４）ごはんのおかずとして有益なおかずレトルト食品の広告アプリなどである。
【００５２】
また、広告アプリ２０３は、広告に関する属性情報を保持する。例えば、属性情報は、キーワード、広告料、広告アプリの音声（以下、適宜、「広告音声」又は「広告音」と言う。）の出力すべき所定回数、又は、広告アプリの音声ファイルのファイル名などである。一つの広告アプリに対応する音声ファイルが複数存在する場合は、音声ファイルに優先順位が付与されている。属性情報は、広告アプリサーバ１０８で付与される。
【００５３】
以下、制御部１１２の各機能部の処理内容の概要を説明する。なお、制御部１１２の各機能部の処理内容の詳細については図７などのフローチャートなどを用いて後述する。
入力情報処理部２０４は、入力情報２０１を解析し、入力情報２０１に応じた処理を行う。入力情報２０１がユーザによるリモコン１０２の操作である場合、入力情報処理部２０４は、アプリ・広告識別部２０５に対して、リモコン１０２の操作がサービスアプリ上で行われたのか、それ以外で行われたのかを判別するように判別指示の信号を出力する。また、入力情報２０１が家電機器制御部１１５からの情報である場合は、入力情報処理部２０４は、情報の内容に応じた指示の信号を音声出力判断部２０４及びサービスアプリ表示部２０９に出力する。
【００５４】
アプリ・広告識別部２０５は、入力されるアプリケーションが、サービスアプリであるか広告アプリであるかを識別し、識別した情報はライフターゲティングテーブル管理部２０６で管理される。なお、当該識別は、属性情報の内容を用いて、或いは、拡張子を用いて行うことができるが、サービスアプリか広告アプリかを識別することができる手法であれば特に限定されるものではない。また、アプリ・広告識別部２０５は、入力情報処理部２０４から上記の判別指示の信号の入力を受けて、ユーザによるリモコン１０２の操作が、サービスアプリ上で行われたのか、それ以外で行われたのかを識別する。そして、リモコン１０２の操作がサービスアプリ上で行われたと識別した場合には、アプリ・広告識別部２０５は、更に、複数のサービスアプリの内、どのサービスアプリ上でリモコン１０２の操作が行われたかを識別する。
【００５５】
ライフターゲティング管理部２０６は、アプリ・広告識別部２０５で識別されたサービスアプリ２０２と広告アプリ２０３とを属性情報を用いて関連付け、一つのライフターゲティングテーブル２１０（図５参照）を作成する。また、ライフターゲティング管理部２０６は、サービスアプリ２０２及び広告アプリ２０３の持つ属性情報から、一つ又は複数の再生音選択テーブル２１１（図６参照）を作成する。作成されたライフターゲティングテーブル２１０及び再生音選択テーブル２１１は、記憶部１１１に保存される。
【００５６】
ライフターゲティング管理部２０６による、サービスアプリ２０２と広告アプリ２０３との関連付けは、サービスアプリ２０２及び広告アプリ２０３の夫々に付与された属性情報であるキーワードを用いて行われる。例えば、「洗濯機アプリ」にキーワード「洗濯」が付与され、「洗剤」の広告アプリにも同様にキーワード「洗濯」が付与されている場合は、「洗濯」というキーワードで、「洗濯機アプリ」と「洗剤」の広告アプリとが関連付けられる。但し、一つのサービスアプリに対し、関連付け候補の広告アプリが複数存在する場合、広告アプリの属性情報である広告料を用いて比較し、広告料が高い広告アプリとサービスアプリとを一意に関連付ける。なお、サービスアプリと広告アプリとを一意に関連付ける方法は、広告料を用いる方法に限るものではなく、例えば、サービスアプリと広告アプリとのキーワードの一致度を用いる方法でも良い。
【００５７】
音声出力判断部２０７は、例えば、ユーザがサービスアプリにリモコンフォーカスを当ててクリックしたときに、記憶部１１１に記憶されている音声出力中フラグの値を用いて、前記サービスアプリに対応する広告アプリの音声が出力されているか否かを確認し、前記サービスアプリに対応する広告アプリの音声を出力するか否かを判断する。但し、音声出力判断部２０７は、音声出力中フラグが「ＯＦＦ」である場合に、前記サービスアプリに対応する広告アプリの音声を出力すると判断する。
【００５８】
広告音声出力部２０８は、例えば、音声出力判断部２０７が、広告アプリの音声を出力すると判断した場合に、ライフターゲティングテーブル２１０及び再生音選択テーブル２１１を参照して出力する広告アプリの音声ファイルを選択し、音声出力部１１３に音声出力の指令信号を出力する。
【００５９】
サービスアプリ表示部２０９は、入力情報処理部２０４及びアプリ・広告識別部２０５からの入力に基づき、サービスアプリの詳細を示す下層画面、又は、一つ上の階層の画面、又は、先頭画面の表示の指令信号を映像出力部１１４に出力する。
【００６０】
＜表示装置の表示画面の例＞
［先頭画面の例］
図３は、図１の表示装置１０１に先頭画面として表示されるポータル画面の一例を示す図である。
【００６１】
先頭画面は、１つ又は複数のサービスアプリ及び１つ又は複数の広告アプリを含む。先頭画面の表示領域は、一つ又は複数のサービスアプリを表示可能な第１の表示領域３０９と、一つ又は複数の広告アプリを表示可能な第２の表示領域３１０とを含む。第１の表示領域３０９にはタブがあり、第１の表示領域３０９に表示する一つ又は複数のサービスアプリを切り替えることが可能になっている。図３の例では、「マイホーム」タブと「お勧めアプリ」タブとがあり、表示する一つ又は複数のサービスアプリを切り替えることができる。第２の表示領域３１０には、スクロールバーがあり、制御端末装置１００が、広告アプリサーバ１０８から取得し蓄積した複数の広告アプリの表示を切り替えることが可能である。
【００６２】
図３の先頭画面の一例では、第１の表示領域３０９には、サービスアプリとして、洗濯機アプリ３０１、健康チェックアプリ３０２、電子レンジアプリ３０３、炊飯器アプリ３０４が表示されている。また、第２の表示領域３１０には、広告アプリとして、「洗剤」の広告アプリ３０５、「おかずレトルト食品」の広告アプリ３０６、「高温対応ラップ」の広告アプリ３０７、「フィットネスクラブ」の広告アプリ３０８が表示されている。
【００６３】
［サービスアプリの詳細画面の例］
図４は、図１の表示装置１０１に表示されるサービスアプリの詳細画面の一例を示す図である。但し、図４のサービスアプリの詳細画面は、図３の洗濯機アプリ３０１にユーザがリモコンフォーカスを当ててクリックした場合に表示装置１０１に表示される洗濯機アプリ３０１の詳細画面の一例である。サービスアプリは、多層構造からなり、ユーザがリモコン１０２を操作し、サービスアプリそのもの、又はサービスアプリ内のリンクを選択すると、サービスアプリの下層画面として、サービスアプリの詳細情報が表示される。
【００６４】
例えば、洗濯機アプリ３０１の詳細画面として、リモート操作メニューが表示される。図４の例では、洗濯機アプリ３０１の詳細画面は、洗濯機の動作状態を示す画面４０１、洗濯機の予約を行う画面４０２、一つ上の階層へ戻る「戻る」のボタン４０４、及び先頭画面（ポータル画面）へ戻る「ポータルへ戻る」のボタン４０５を含む。洗濯機アプリ３０１の詳細画面は、リモート操作メニューから、さらにサービスの詳細情報である洗濯機を使ったエコロジーのアイデアの詳細画面へ遷移するためのリンク４０３を含む。
【００６５】
洗濯機アプリ３０１の詳細画面の表示サイズは、図３で示した洗濯機アプリ３０１の表示サイズと異なる場合がある。例えば、洗濯機アプリ３０１が拡大表示設定されている場合、図３の表示中に、ユーザがリモコン１０２の操作により洗濯機アプリ３０１にリモコンフォーカスを当ててクリックすると、サービスアプリ表示部２０９は、洗濯機アプリ３０１の下層画面（詳細画面）を表示する際、下層画面の表示サイズが図３の洗濯機アプリ３０１の表示サイズより拡大するよう変更する。なお、サービスアプリに拡大表示設定をしないことによって、下層画面の表示の際に表示サイズを変更しないようにすることも可能である。
【００６６】
＜ライフターゲティングテーブルの一例＞
図５は、図１の記憶部１１１に記憶されるライフターゲティングテーブル２１０の一例を示す図である。図５に一例を示すライフターゲティングテーブル２１０は、ライフターゲティング管理部２０６によって、サービスアプリと広告アプリとが関連づけられ、生成された後のテーブルとする。
【００６７】
ライフターゲティングテーブル２１０は、サービスアプリ５０１、サービスアプリに対応する広告アプリ５０２、及び広告アプリの一つ又は複数の音声を記述した再生音選択テーブル５０３から構成される。サービスアプリ５０１には、サービスアプリの名称が記載される。広告アプリ５０２には、サービスアプリと関連付けられた広告アプリの名称が記載される。再生音選択テーブル５０３には、広告アプリの一つまたは複数の音声が記載された再生音選択テーブルの所在を示すパス情報が記載される。
【００６８】
図５の例では、サービスアプリ５０１には、「洗濯機アプリ」、「健康チェックアプリ」、「電子レンジアプリ」、及び、「炊飯器アプリ」が記載されている。広告アプリ５０２には、「洗濯機アプリ」、「健康チェックアプリ」、「電子レンジアプリ」、及び「炊飯器アプリ」に対応させて、「洗剤」、「フィットネスクラブ」、「高温対応ラップ」、及び「おかずレトルト食品」が記載されている。さらに、再生音選択テーブル５０３には、「洗剤」、「フィットネスクラブ」、「高温対応ラップ」、及び「おかずレトルト食品」に対応させて、「ｆｉｌｅ：／／ｎｖ／ａｄ／ｌｉｏｎｃｈａｎ／ｖ１／ｔｏｐ２．ｘｍｌ」、「ｈｔｔｐ：／／ｗｗｗ．ｆｉｔｎｅｓｓ／ａｄ／０９０９．ｘｍｌ」、「ｆｉｌｅ：／／ｎｖ／ａｄ／ｎｅｗｋｕｒｅｈａｗｒａｐ＿ｖ１．ｘｍｌ」、及び「ｈｔｔｐ：／／ｂａｍｏｎｔｏ．ｃｏｍ／ｃｕｒｒｙ／ｋｕｋｋｕｒｕ．ｘｍｌ」が記載されている。
【００６９】
なお、再生音選択テーブル５０３に記載される再生音選択テーブルのパス情報は、例えば、制御端末装置１００に蓄積したファイルを示すパスであってもよく、宅外のサーバである広告アプリサーバ１０８に保存されているファイルを示すパスであってもよい。
【００７０】
＜再生音選択テーブルの一例＞
図６は、図１の記憶部１１１に記憶される再生音選択テーブル２１１の一例を示す図である。図６に一例を示す再生音選択テーブル２１１は、ライフターゲティング管理部２０６によって、広告アプリの属性情報から生成された後のテーブルとする。
【００７１】
再生音選択テーブル２１１には、広告アプリの持つ一つ又は複数の音声情報及び属性情報が記載される。再生音選択テーブル２１０は、優先順位６０１、広告音６０２、所定回数６０３、再生済みカウンタ６０４、及びキャンセルカウンタ６０５から構成される。
【００７２】
優先順位６０１には、出力すべき広告アプリの音声ファイルの優先順位が数値で記載され、本実施の形態では、数値が小さい程優先順位が高いものとする。なお、数値が大きい程優先順位が高いとしても良いことは言うまでもない。広告音声出力部２０８は、優先順位６０１に基づき、出力する広告アプリの音声ファイルを選択する。また、優先順位６０１には、数値以外に「ＮＵＬＬ」を記載することもできる。優先順位６０１に「ＮＵＬＬ」が記載されている場合には、所定回数６０３に音声ファイルの再生条件が記載される。
【００７３】
広告音６０２には、出力する広告音の音声ファイルのファイル名が記載される。なお、広告音６０２に記載する音声ファイル名は、例えば、制御端末装置１００内に蓄積した音声ファイルのパス情報であっても良いし、広告アプリサーバ１０８にある音声ファイルのパス情報であっても良い。
【００７４】
所定回数６０３には、広告アプリサーバで予め設定された広告音の音声ファイルの音声出力すべき回数が記載される。但し、上述したように、優先順位６０１に「ＮＵＬＬ」が記載されている場合には、所定回数６０３には音声ファイルの再生条件が記載されることになる。
【００７５】
再生済みカウンタ６０４には、広告アプリの音声ファイルの音声が再生された回数が記載される。また、キャンセルカウンタ６０５には、広告アプリの音声ファイルの音声が再生中に途中で停止された回数が記載される。なお、キャンセルカウンタ６０５を用いて、優先順位６０１の変更が行われる。
【００７６】
例えば、図５に示したライフターゲティングテーブル２１０の再生音選択テーブル５０３の一つである「ｆｉｌｅ：／／ｎｖ／ａｄ／ｌｉｏｎｃｈａｎ／ｖ１／ｔｏｐ２．ｘｍｌ」は、図６に示す再生音選択テーブルであるとする。図６の再生音選択テーブルにおいて、優先順位６０１の「１」に対応する広告音６０２は「洗剤Ｖｅｒ１．ａｃｃ」、出力すべき所定回数６０３は「５」、再生済みカウンタ６０４は「２」、キャンセルカウンタ６０５は「１」である。なお、優先順位６０１の「２」及び「３」に関しては、図６に示す通りである。
【００７７】
優先順位６０１の「ＮＵＬＬ」に対応する広告音６０２には「洗剤Ｖｅｒ声優．ａｃｃ」、所定回数６０３には再生条件として「再生済みカウンタ％７＝＝０」が記載されている。この再生条件は、再生済みカウンタ６０４のトータル数が７で割り切れる場合には、優先順位６０１に関係なく、優先順位６０１の「ＮＵＬＬ」の行に記載された広告音６０２の「洗剤Ｖｅｒ声優．ａｃｃ」を再生する、という条件である。
【００７８】
＜制御部の処理動作＞
［広告音制御処理（ユーザ選択）］
図７は、図２の制御部１１２が行う広告音制御処理（ユーザ選択）の流れを示すフローチャートである。なお、ライフターゲティングテーブル２１０及び再生音選択テーブル２１１は、ライフターゲティング管理部２０６によって、作成されているものとする。
【００７９】
入力情報処理部２０４は、ユーザによるリモコン１０２の操作を待ち、ユーザによるリモコン１０２の操作に関連する入力情報２０１の入力を受け取る（ステップＳ７０１）。入力情報処理部２０４は、アプリ・広告識別部２０５に対して、リモコン１０２の操作がサービスアプリ上で行われたのか、それ以外で行われたのかを判別するように判別指示の信号を出力する。そして、アプリ・広告識別部２０４は、ユーザによってサービスアプリにリモコンのフォーカスが当てられ、クリックされたか否かを判断する（ステップＳ７０２）。
【００８０】
なお、アプリ・広告識別部２０５は、ユーザによるリモコン１０２の操作において、サービスアプリにリモコンのフォーカスが当たっているだけでクリックされていない場合には、ユーザがサービスアプリを選択したとは判断しない。サービスアプリにリモコンのフォーカスが当たっているだけで、このサービスアプリに対応する広告アプリの音声が再生されると、ユーザがリモコン１０２を操作し、サービスアプリ上でフォーカスを移動させているだけで、広告アプリの音声が再生されてしまい、ユーザの利便性が損なわれるからである。
【００８１】
サービスアプリがクリックされていない場合（Ｓ７０２：Ｎ）、ステップＳ７０１の処理に戻って、入力情報処理部２０４はユーザによるリモコン１０２の操作に関連する入力情報２０１の入力を監視する。
【００８２】
一方、サービスアプリがクリックされた場合（Ｓ７０２：Ｙ）、アプリ・広告識別部２０５は、どのサービスアプリがクリックされたかを判別し、クリックされたサービスアプリを特定する（ステップＳ７０３）。続いて、アプリ・広告識別部２０５は、ユーザが操作したサービスアプリの下層画面の表示指示の信号をサービスアプリ表示部２０９へ出力するとともに、音声出力判断部２０７に広告アプリの音声が出力中であるか否かを判別するように判別指示の信号を出力する（ステップＳ７０４）。
【００８３】
音声出力判断部２０７は、ユーザがリモコン１０２を操作し、サービスアプリにリモコンフォーカスが当てられてクリックされた際に、既にサービスアプリに対応する広告アプリの音声（広告音）が出力されているか否かを判断する（ステップＳ７０５）。なお、音声出力判断部２０７は、記憶部１１１に記憶されている音声出力中フラグが「ＯＮ」であるか否かを確認し、音声出力中フラグが「ＯＮ」であれば広告音が出力されていると判断し、「ＯＦＦ」であれば広告音が出力されていないと判断する。
【００８４】
広告音が出力されている場合（Ｓ７０５：Ｙ）、既に広告アプリの音声が出力されているので、新たな広告アプリの音声の出力が行われることなく、サービスアプリ表示部２０９は図８に動作フローを示すサービスアプリの表示処理を行う（ステップＳ７０６）。なお、制御部１１２が新たな広告アプリの音声の出力を行わないのは、既に、広告アプリの音声の出力が行われている状態で、再度、同一又は異なる広告アプリの音声の出力が行われると、広告アプリの音声が途中で途切れてしまい、ユーザに正確に広告内容を伝達することができないからである。
【００８５】
一方、広告音声が出力されていない場合（Ｓ７０５：Ｎ）、サービスアプリ表示部２０９は図８に動作フローを示すサービスアプリの表示処理を行う（ステップＳ７０７）。同時に、音声出力判断部２０７は広告音の出力の指示信号を広告音声出力部２０８へ出力し、広告音声出力部２０８は図９及び図１０に動作フローを示す広告音出力処理を行う（ステップＳ７０８）。そして、広告音声出力部２０８は、広告アプリの音声の出力が完了すると、音声出力中フラグを「ＯＮ」から「ＯＦＦ」に変更する（ステップＳ７０９）。但し、（１）サービスアプリの表示処理（ステップＳ７０７）と、（２）広告音出力処理（ステップＳ７０８）及び音声出力完了処理（ステップＳ７０９）とは、例えば並列して行われる。
【００８６】
なお、サービスアプリの表示処理（ステップＳ７０７）については図８を参照して後に詳述し、広告音出力処理（ステップＳ７０８）については、図９及び図１０を参照して後に詳述する。
【００８７】
サービスアプリ表示部２０９は、サービスアプリに表示中の下層画面よりも下の階層の下層画面が存在するか否か、言い換えると、サービスアプリにおいて表示中の下層画面が最下層画面でないか否かを判断する（ステップＳ７１０）。サービスアプリに表示中の下層画面よりも下の階層の下層画面が存在する場合（Ｓ７１０：Ｙ）、ステップＳ７０１の処理に戻って、入力情報処理部２０４はユーザによるリモコン１０２の操作に関連する入力情報２０１の入力を監視する。ここで、さらに下層画面を表示する指示があると、新たに広告アプリの音声が選択されることになる。即ち、更なる下層画面の表示の指示という動作からユーザが同一の家電機器又はサービスに対して継続して強い感心があることを推定できる。これにより、ユーザが感心を持つ同一の家電機器又はサービスに対応して広告アプリの音声を継続して出力することができ、広告の大きな訴求効果が得られる。
【００８８】
一方、サービスアプリに表示中の下層画面よりも下位の階層の下層画面が存在しない場合（Ｓ７１０：Ｎ）、制御部１１２は、図１１に動作フローを示す例えばサービスアプリの表示中の下層画面から一つ上の階層の上層画面又は先頭画面へ遷移する上層画面／先頭画面遷移処理を行う（ステップＳ７１１）。なお、上層画面／先頭画面遷移処理（ステップＳ７１１）については図１１を参照して後に詳述する。
【００８９】
以下、図７で示した広告音制御処理（ユーザ選択）に対応する画面表示の遷移の一例を図１２から図１４を参照して説明する。
例えば、ユーザが図１２に示す先頭画面であるポータル画面１３００ａ上で、洗濯機アプリ１３０１ａにリモコンフォーカスを当ててクリックしたとすると、図１２に示す洗濯機アプリ１３０１ａの下層画面である、図１３に示す洗濯機アプリの詳細画面１３０４ｂが表示される。サービスアプリの下層画面の表示方法の詳細については図８を参照して後に詳述する。サービスアプリの下層画面の表示と同時に、広告音声出力部２０８は、洗濯機アプリに対応する「洗剤」の広告アプリの音声を選択し、選択された広告アプリの音声が出力される。広告音声出力部２０８による広告アプリの音声の選択方法の詳細については図９及び図１０を用いて後に詳述する。
【００９０】
但し、ユーザが洗濯機アプリ１３０１ａにリモコンフォーカスを当ててクリックしたとき、洗濯機アプリに関連する広告アプリの音声が既に出力されていれば、音声出力中の広告アプリの音声の出力は停止されず、洗濯機アプリの詳細画面１３０４ｂが表示される。これに対し、洗濯機アプリに関連する広告アプリの音声が出力されていなければ、洗濯機アプリの詳細画面１３０４ｂが表示されるとともに、広告音声出力部２０８は、「洗剤」の広告アプリの音声を選択し、選択された「洗剤」の広告アプリの音声が出力される。
【００９１】
さらに、洗濯機アプリに、図１３の詳細画面１３０４ｂより下の階層の下層画面である詳細画面が存在する場合、例えば、図１３の詳細画面１３０４ｂに「洗濯機エコアイデア」へのリンク１３０６ｂが存在する場合、ユーザが「洗濯機エコアイデア」へのリンク１３０６ｂにリモコンフォーカスを当ててクリックしたとき、図１４に示す洗濯機アプリの図１３に示す詳細画面１３０４ｂより１つ下の下層画面である詳細画面１３０６ｃが表示される。
【００９２】
但し、ユーザが図１３の詳細画面１３０４ｂの「洗濯機エコアイデア」へのリンク１３０６ｂにリモコンフォーカスを当ててクリックしたとき、広告アプリの音声が既に出力されていれば、音声出力中の広告アプリの音声の出力は停止されず、図１３の詳細画面１３０４ｂの1つ下の下層画面である図１４に示す詳細画面１３０６ｃが表示される。これに対し、広告アプリの音声が出力されていなければ、図１４に示す詳細画面１３０６ｃが表示されるとともに、広告音声出力部２０８は、「洗剤」の広告アプリの音声を選択し、選択された「洗剤」の広告アプリの音声が出力される。
【００９３】
［サービスアプリの表示処理］
図８は、図７のサービスアプリの表示処理（ステップＳ７０６，Ｓ７０７）の流れを示すフローチャートである。
【００９４】
サービスアプリ表示部２０９は、ユーザがリモコンフォーカスを当ててクリックしたサービスアプリ（ユーザによって操作されたサービスアプリ）に関連する広告アプリが、第２の表示領域（図３参照）に表示されているか否かを判断する（ステップＳ８０１）。なお、サービスアプリ表示部２０９は、サービスアプリに関連する広告アプリが表示されているか否かの判断を記憶部１１１に記録されたライフターゲティングテーブル２１０を参照することによって行う。
【００９５】
第２の表示領域にユーザによって操作されたサービスアプリに関連する広告アプリが表示されている場合（Ｓ８０１：Ｙ）、サービスアプリ表示部２０９は、ユーザによって操作されたサービスアプリが拡大表示設定されているか否かを判断する（ステップＳ８０２）。なお、サービスアプリの拡大表示設定は、各々のサービスアプリで異なり、各々のサービスアプリの設定事項として、記憶部１１１に保存されているものとする。
【００９６】
ユーザによって操作されたサービスアプリが拡大表示設定されている場合（Ｓ８０２：Ｙ）、サービスアプリ表示部２０９は、ユーザによって操作されたサービスアプリの下層画面を表示するとき、表示サイズを変更し、第１の表示領域（図３参照）内で拡大表示する（ステップＳ８０３）。これによると、複数の家電機器のいずれかに対応するサービスアプリの下層画面の表示が指示された場合、当該サービスアプリに関連する広告アプリが第２の表示領域（図３参照）に表示されているか否かを判断し、表示されている場合は前記指示された下層画面を表示装置１０１の第１の表示領域全体に拡大表示する。これにより、関連する広告アプリの画面が第２の表示領域に表示されている場合は、サービスアプリ表示部２０９は、関連する広告アプリの画面の表示とサービスアプリの下層画面の表示とを共存させつつ、下層画面の表示を可能な範囲で最大限拡大表示する。このため、広告アプリの画面を表示させた上で、ユーザが表示を指示した下層画面の表示のために表示装置１０１の表示画面を有効に活用できる。
【００９７】
一方、ユーザによって操作されたサービスアプリが拡大表示設定されていない場合（Ｓ８０２：Ｎ）、サービスアプリ表示部２０９は、サービスアプリの表示サイズを変更することなく下層画面を表示する（ステップＳ８０４）。
【００９８】
第２の表示領域にユーザによって操作されたサービスアプリに関連する広告アプリが表示されていない場合（Ｓ８０１：Ｎ）、サービスアプリ表示部２０９は、操作されたサービスアプリが拡大表示設定されているか否かを判断する（ステップＳ８０５）。
【００９９】
ユーザによって操作されたサービスアプリが拡大表示設定されている場合（Ｓ８０５：Ｙ）、サービスアプリ表示部２０９は、ユーザによって操作されたサービスアプリの下層画面を表示するとき、表示サイズを変更し、第１の表示領域（図３参照）と第２の表示領域（図３参照）とを合わせた表示領域内で拡大表示する（ステップＳ８０６）。例えば、ユーザによって操作されたサービスアプリに関連する広告アプリがユーザによるスクロールバーの操作によって第２の表示領域に表示されていない場合、広告アプリの表示によるユーザへの広告効果が期待できないので、ユーザの操作性を優先し、ユーザが操作するサービスアプリの表示範囲を第１の表示領域と第２の表示領域とを合わせた表示領域に拡大する。これによると、複数の家電機器のいずれかに対応するサービスアプリケーションの下層画面の表示が指示された場合、当該サービスアプリに関連する広告アプリが第２の表示領域に表示されているか否かを判断し、表示されていない場合に前記指示された下層画面を表示装置１０１の第１の表示領域と第２の表示領域とを合わせた表示領域全体に拡大表示する。このように、関連する広告アプリが第２の表示領域に表示されていない場合は、下層画面の表示を表示装置１０１の第１の表示領域と第２の表示領域とを合わせた表示領域全体に拡大表示して、下層画面の表示を関連しない広告アプリの表示より優先させる。このため、関連する広告アプリが第２の表示領域に表示されておらず、関連する広告アプリの音声しかユーザが感知できない場合には、ユーザが表示を指示した下層画面の表示のために表示装置１０１の表示画面全体を有効に活用できる。
【０１００】
一方、ユーザによって操作されたサービスアプリが拡大表示設定されていない場合（Ｓ８０５：Ｎ）、サービスアプリ表示部２０９は、サービスアプリの表示サイズを変更することなく下層画面を表示する（ステップＳ８０７）。
【０１０１】
以下、図８で示したサービスアプリの表示処理に対応する画面表示の遷移の一例を図１２、図１３、図１５、図１６、図３、及び図１７を参照して説明する。
最初に、図１２及び図１３を用いて、サービスアプリの下層画面を第１の表示領域内で拡大表示する一例を示す。
【０１０２】
例えば、ユーザが、図１２に示すポータル画面１３００ａ上で、洗濯機アプリ１３０１ａにリモコンフォーカスを当ててクリックしたとする。ここで、洗濯機アプリ１３０１ａは、初期設定として、下層画面の表示の際に拡大表示する拡大表示設定がなされているとする。図１２において、第２の表示領域１３０３ａに洗濯機アプリ１３０１ａに関連する広告アプリである「洗剤」が表示されているので、サービスアプリ表示部２０９は、洗濯機アプリの詳細画面であるリモート操作メニューが第１の表示領域に拡大表示されるように表示サイズを変更し、図１３に示すように、リモート操作メニュー１３０４ｂを第１の表示領域１３０２ｂ内で拡大表示する。
【０１０３】
次に、図１５及び図１６を用いて、サービスアプリの下層画面を第１の表示領域と第２の表示領域とを合わせた表示領域に拡大表示する一例を示す。
例えば、ユーザが、図１５に示すポータル画面１５００ａ上で、洗濯機アプリ１５０１ａにリモコンフォーカスを当ててクリックしたとする。ここで、洗濯機アプリ１５０１ａは、初期設定として、下層画面の表示の際に拡大表示する拡大表示設定がなされているとする。図１５において、第２の表示領域１５０３ａに洗濯機アプリ１５０１ａに関連する広告アプリである「洗剤」が表示されていないので、サービスアプリ表示部２０９は、洗濯機アプリの詳細画面であるリモート操作メニューが第１の表示領域と第２の表示領域とを合わせた表示領域に拡大表示されるように表示サイズを変更し、図１６に示すように、リモート操作メニュー１５０４ｂを第１の表示領域１５０２ｂと第２の表示領域１５０３ｂとを合わせた表示領域内で拡大表示する。
【０１０４】
最後に、図３及び図１７を用いて、サービスアプリの下層画面の表示サイズを変更しない一例を示す。
例えば、ユーザが、図３に示すポータル画面３００上で、健康チェックアプリ３０２にリモコンフォーカスを当ててクリックしたとする。ここで、健康チェックアプリ３０２は、初期設定として、下層画面の表示の際に拡大表示する拡大表示設定がなされていないとする。サービスアプリ表示部２０９は、健康チェックアプリ３０２の表示サイズを変更することなく、例えば、図１７に示す健康チェックアプリの詳細画面である健康診断の画面１８０１ａを表示する。なお、このとき、健康チェックアプリに対応するフィットネスクラブの広告アプリの音声が出力される。
【０１０５】
［広告音声出力処理］
図９及び図１０は、図７の広告音出力処理（ステップＳ７０８）の流れを示すフローチャートである。
【０１０６】
広告音声出力部２０８は、ライフターゲティングテーブル２１０を記憶部１１１から読み込む（ステップＳ９０１）。そして、広告音声出力部２０８は、ライフターゲティングテーブル２１０を参照して、ユーザがリモコンフォーカスを当ててクリックしたサービスアプリに対応する広告アプリを特定する（ステップＳ９０２）。そして、広告音声出力部２０８は、特定した広告アプリに対応する再生音選択テーブルを記憶部１１１から読み込む（ステップＳ９０３）。
【０１０７】
図１８（ａ）〜（ｃ）に、再生音選択テーブルの一例を示す。図１８（ａ）〜（ｃ）に示す再生音選択テーブルは、図５に示したライフターゲティングテーブルに記載される、再生音選択テーブル「ｆｉｌｅ：／／ｎｖ／ａｄ／ｌｉｏｎｃｈａｎ／ｖ１／ｔｏｐ２．ｘｍｌ」の一例である。
【０１０８】
図１８（ａ）〜（ｃ）の再生音選択テーブルには、優先順位「１」、「２」、「ＮＵＬＬ」に対応する広告アプリの音声ファイルとして、広告音の欄に「洗剤Ｖｅｒ１．ａｃｃ」、「洗剤Ｖｅｒ２．ａｃｃ」、「洗剤Ｖｅｒ声優．ａｃｃ」が記載されている。また、広告音「洗剤Ｖｅｒ１．ａｃｃ」、「洗剤Ｖｅｒ２．ａｃｃ」、「洗剤Ｖｅｒ声優．ａｃｃ」に対応する所定回数は、「５」、「２」、「再生済みカウンタ％７＝＝０」である。なお、上述したように、優先順位「ＮＵＬＬ」に対応する広告音の所定回数には、再生条件が記載され、図１８（ａ）〜（ｃ）では、「再生済みカウンタ％７＝＝０」が記載されている。再生条件「再生済みカウンタ％７＝＝０」は、再生済みカウンタのトータル数が７で割り切れる場合、優先順位「ＮＵＬＬ」に対応する広告音を出力する、という条件である。
【０１０９】
再生音選択テーブルから再生する広告アプリの音声を特定するために、まず、広告音声出力部２０８は再生音選択テーブルの優先順位「ＮＵＬＬ」に対応する所定回数の欄に記載されている再生条件を確認する（ステップＳ９０４）。例えば、再生条件は、「再生済みカウンタのトータル数が７で割り切れる場合、「洗剤Ｖｅｒ声優．ａｃｃ」の音声を出力する」である。
【０１１０】
再生条件を満たすか否かを判断するため、広告音声出力部２０８は、再生音選択テーブルを参照して、再生済みカウンタのトータル数を算出する（ステップＳ９０５）。そして、広告音声出力部２０８は、再生済みカウンタのトータル数が、優先順位「ＮＵＬＬ」に対応する所定回数の欄に記載されている再生条件に合致するか否かを判断する（ステップＳ９０６）。
【０１１１】
再生済みカウンタのトータル数が再生条件に合致する場合（Ｓ９０６：Ｙ）、広告音声出力部２０８は、優先順位「ＮＵＬＬ」に対応する広告音（図１８（ａ）の例では「洗剤Ｖｅｒ声優．ａｃｃ」）を音声出力する広告音として選択し（ステップＳ９１３）、音声出力部１１３に音声出力の指令信号を出力する（ステップＳ９１４）。これにより、表示装置１０１が備えるスピーカから選択された広告音が音声出力されることになる。広告音声出力部２０８は、音声出力判断部２０７が広告音の再生中であるか否かを確認するための、音声出力中フラグを「ＯＮ」にする（ステップＳ９１５）。更に、広告音声出力部２０８は、再生音選択テーブル内で、音声出力する広告音として選択された広告音に対応する再生済みカウンタを「１」インクリメントする（ステップＳ９１６）。
【０１１２】
一方、再生済みカウンタのトータル数が再生条件に合致しない場合（Ｓ９０６：Ｎ）、広告音声出力部２０８は、優先順位が一番高い広告音を選択する（ステップＳ９０７）。例えば、図１８（ａ）に示す再生音選択テーブルでは、広告音声出力部２０８は、優先順位「１」の広告音「洗剤Ｖｅｒ１．ａｃｃ」を選択する。
【０１１３】
次に、広告音声出力部２０８は、ステップＳ９０７で選択した広告音に対応するキャンセルカウンタが規定回数「n」より小さいか否かを判断する（ステップＳ９０８）。なお、規定回数「ｎ」として、例えば、予め設定された値やユーザによって設定された値を用いることができる。但し、キャンセルカウンタのインクリメントは、図１１に動作フローを示す上層画面／選択画面遷移処理において、サービスアプリの下層画面からサービスアプリの先頭画面であるポータル画面に遷移する際や他のサービスアプリに遷移する際に実施される。
【０１１４】
キャンセルカウンタが規定回数「ｎ」以上である場合（Ｓ９０８：Ｙ）、広告音声出力部２０８は、再生音選択テーブル内で、ステップＳ９０７で選択した広告音の優先順位を最下位に変更し（ステップＳ９１１）、ステップＳ９０７で選択した広告音に対応するキャンセルカウンタを０にクリアする（ステップＳ９１２）。そして、ステップＳ９０７の処理に戻る。これは、同じ広告音に対し、再生中でのキャンセル（音声出力の停止）が複数回発生した場合に出力する広告音の優先順位を変更し、ユーザに飽きさせることなく広告を伝えるためである。
【０１１５】
ここで、図１８（ｂ）及び図１８（ｃ）を用いて再生音選択テーブル内での広告音の優先順位の変更及びキャンセルカウンタのクリアの一例を示す。
例えば、キャンセルカウンタの規定回数「n」を「５」とする。図１８（ｂ）の再生音選択テーブルでは、優先順位「１」の「洗剤Ｖｅｒ１．ａｃｃ」のキャンセルカウンタは「５」であり、規定回数の値「５」と同じである。広告音声出力部２０８は、図１８（ｃ）に示すように、広告音「洗剤Ｖｅｒ１．ａｃｃ」の優先順位を最下位である「２」に変更し、キャンセルカウンタを０にクリアするとともに、広告音「洗剤Ｖｅｒ２．ａｃｃ」の優先順位を「１」に変更する。
【０１１６】
一方、キャンセルカウンタが規定回数「ｎ」より小さい場合（Ｓ９０８：Ｙ）、広告音声出力部２０８は、再生音声選択テーブルを参照して、ステップＳ９０７で選択した広告音に対応する所定回数と再生済みカウンタとの比較を行う（ステップＳ９０９）。そして、広告音声出力部２０８は、ステップＳ９０９の比較の結果に基づいて、ステップＳ９０７で選択した広告音の再生済みカウンタが所定回数に達しているか否かを判断する（ステップＳ９１０）。
【０１１７】
ステップＳ９０７で選択した広告音に対応する再生済みカウンタが所定回数に達していない場合（Ｓ９１０：Ｎ）、広告音声出力部２０８は、ステップＳ９０７で選択した広告音を音声出力する広告音とし、音声出力部１１３に音声出力の指令信号を出力する（ステップＳ９１４）。これにより、表示装置１０１が備えるスピーカから選択された広告音が音声出力されることになる。広告音声出力部２０８は、音声出力中フラグを「ＯＮ」にする（ステップＳ９１５）。更に、広告音声出力部２０８は、ステップＳ９０７で選択した広告音に対応する再生済みカウンタを「１」インクリメントする（ステップＳ９１６）。
【０１１８】
例えば、図１８（ｃ）に示す再生音選択テーブルでは、優先順位「１」の広告音「洗剤Ｖｅｒ２．ａｃｃ」の再生済みカウンタの値「０」が所定回数「２」に達していないので、広告音声出力部２０８は、広告音「洗剤Ｖｅｒ２．ａｃｃ」を音声出力する広告音として選択し、音声出力部１１３に音声出力の指令信号を出力する。これによって、表示装置１０１が備えるスピーカから広告音「洗剤Ｖｅｒ２．ａｃｃ」が音声出力される。そして、広告音声出力部２０８は、音声出力中フラグを「ＯＮ」にし、音声出力する広告音として選択した広告音「洗剤Ｖｅｒ２．ａｃｃ」の再生済みカウンタを１インクリメントする。
【０１１９】
一方、ステップＳ９０７で選択した広告音に対応する再生済みカウンタが所定回数に達している場合（Ｓ９１０：Ｙ）、図１０のステップＳ１００１の処理が行われる。広告音声出力部２０８は、再生音選択テーブル内で、選択した広告音の優先順位を最下位に変更する（ステップＳ１００１）。例えば、図１９に示す再生音選択テーブルのように、「洗剤Ｖｅｒ１．ａｃｃ」の再生済みカウンタが「５」となり、所定回数である「５」と一致する場合、広告音声出力部２０８は、「洗剤Ｖｅｒ１．ａｃｃ」の優先順位を「２」に変更し、「洗剤Ｖｅｒ２．ａｃｃ」の優先順位を「１」と変更する。
【０１２０】
次に、広告音声出力部２０８は、再生音選択テーブルに記載されている全ての広告音に対応する再生済みカウンタが所定回数に達したかを判断する（ステップＳ１００２）。
一つでも再生済みカウンタが所定回数に達していない広告音が存在する場合（Ｓ１００２：Ｎ）、図９のステップＳ９０７の処理が行われる。
【０１２１】
一方、全ての広告音に対応する再生済みカウンタが所定回数に達した場合（Ｓ１００２：Ｙ）、広告音声出力部２０８は、広告音を音声出力するか否かを判断する（ステップＳ１００３）。音声出力しないと判断された場合（Ｓ１００３：Ｎ）、広告音声出力部２０８は広告音の出力は行わない（ステップＳ１００５）。一方、広告音を音声出力すると判断された場合（Ｓ１００３：Ｙ）、広告音声出力部２０８は、再生音選択テーブルに記載された優先順位を変更するか否かを判断する（ステップＳ１００４）。
【０１２２】
優先順位を変更しないと判断された場合（Ｓ１００４：Ｎ）、広告音声出力部２０８は、再生音選択テーブル内で、全ての広告音に対応する再生済みカウンタを０にクリアする（ステップＳ１００６）。そして、図９のステップＳ９０７の処理が行われる。一方、優先順位を変更すると判断された場合（Ｓ１００４：Ｙ）、広告音声出力部２０８は、再生音選択テーブル内で、全ての広告音に対応する優先順位をランダムに書き換え（ステップＳ１００７）、全ての広告音に対応する再生済みカウンタを０にクリアする（ステップＳ１００８）。そして、図９のステップＳ９０７の処理が行われる。
【０１２３】
なお、優先順位の書き換えにおいては、優先順位「ＮＵＬＬ」に対応する広告音も含めて、広告音に対応する優先順位をランダムに書き換えても良い。また、優先順位「ＮＵＬＬ」に対応する広告音の所定回数に記載される再生条件を変更してよい。
【０１２４】
また、優先順位の書き換えの方法は、広告音に対応する優先順位をランダムに書き換える方法に限らず、例えば、優先順位が一番低かった広告音の優先順位を一番高くし、それ以外の広告音の優先順位を１つずつ下げる方法など、優先順位の書き換え方法は特に限定されるものではない。
【０１２５】
なお、（１）全ての広告音の再生済みカウンタが所定の回数に達した場合に広告アプリの音声を出力するか否かの条件設定、（２）優先順位を変更するか否かの条件設定は、ユーザが予め制御端末装置１００内で設定していてもよく、制御端末装置１００がユーザに条件設定の入力を促してその都度ユーザが設定するようにしてもよい。また、上記の各条件設定を広告アプリが配信される際に広告アプリの属性情報として付与しておいてもよい。
【０１２６】
以上のように、複数の家電機器のいずれかに対応するサービスアプリが選択された場合、広告アプリの音声が出力されていないときに、選択されたサービスアプリに対応する広告アプリの音声が選択されて出力される。これにより、複数の広告アプリの音声が混在して出力されることが回避される。
【０１２７】
また、複数の家電機器の夫々に対応するサービスアプリの中から、ユーザによってリモコンフォーカスが当てられクリックされたサービスアプリに関連する広告アプリの音声が出力される。このため、ユーザが感心を持つと考えられる、家電機器に対応するサービスアプリに関連した広告アプリを適切に選択して音声出力が行われ、大きな広告の訴求効果が得られる。
【０１２８】
［上層画面／先頭画面遷移処理］
図１１は、図７の上層画面／先頭画面遷移処理（ステップＳ７１１）の流れを示すフローチャートである。但し、図１１に示すフローチャートを示す処理は、ユーザがサービスアプリを操作し、最下層の画面へ遷移した状態での処理である。
【０１２９】
ユーザがサービスアプリを操作して当該サービスアプリの最下層でサービスアプリの利用中である。入力情報処理部２０４は、ユーザによるリモコン１０２の操作を待ち、ユーザによるリモコン１０２の操作に関連する入力情報２０１の入力を受け取る（ステップＳ１１０１）。入力情報取得部２０４が、ユーザによるリモコン１０２の操作が電源ＯＦＦに関連する操作であるか否かを判断する（ステップＳ１１０２）。
【０１３０】
ユーザによるリモコン操作が電源ＯＦＦに関連する操作である場合（Ｓ１１０２：Ｙ）、音声出力判断部２０７は、音声出力中フラグの値を見て、広告音が出力中であるか否かを判断する（ステップＳ１１０３）。
【０１３１】
広告音が出力中である場合（Ｓ１１０３：Ｙ）、音声出力判断部２０７は広告音声出力部２０８に対して再生音選択テーブルの書き換えの指示信号を出力し、広告音声出力部２０８は、再生音選択テーブル内で、音声出力中の広告音に対応するキャンセルカウンタを「１」インクリメントする（ステップＳ１１０４）。そして、制御部１１１は、制御端末装置１００の電源をＯＦＦにする（ステップＳ１１０５）。一方、広告音が出力中でない場合（Ｓ１１０３：Ｎ）は、制御部１１１は、即座に、制御端末装置１００の電源をＯＦＦにする（ステップＳ１１０５）。
【０１３２】
一方、ユーザによるリモコン操作が電源ＯＦＦに関連する操作でない場合（Ｓ１１０２：Ｎ）、入力情報処理部２０４は、ユーザによるリモコン１０２の操作が「ポータルへ戻る」のボタンにリモコンフォーカスを当ててクリックした操作であるか否か（サービスアプリの先頭画面であるポータル画面へ戻るであるか否か）を判断する（ステップＳ１１０６）。
【０１３３】
ユーザによるリモコン操作がポータル画面へ戻るである場合（Ｓ１１０６：Ｙ）、音声出力判断部２０７は、音声出力中フラグの値を見て、広告音が出力中であるか否かを判断する（ステップＳ１１０７）。
【０１３４】
広告音が出力中である場合（Ｓ１１０７：Ｙ）、音声出力判断部２０８は、出力中の広告音の停止の指示信号を音声出力部１１３へ出力する（ステップＳ１１０８）。これによって、音声出力部１１３は出力中の広告音の出力を停止する。
【０１３５】
そして、音声出力判断部２０７は広告音声出力部２０８に対して再生音選択テーブルの書き換えの指示信号を出力し、広告音声出力部２０８は、再生音選択テーブル内で、音声出力を停止した広告音に対応するキャンセルカウンタを「１」インクリメントする（ステップＳ１１０９）。サービスアプリ表示部２０９は、ポータル画面を表示する（ステップＳ１１１０）。これによると、下層画面から先頭画面に戻る指示がされた場合であって、広告アプリの音声（広告音）が出力されているときには、広告音の音声出力を停止する。即ち、先頭画面に戻ることにより音声出力中の広告音に係る家電機器に対応するサービスアプリに対するユーザの関心が薄れたと推定して、音声出力中の広告音の音声出力を停止する。これにより、ユーザの関心が薄れたと推定される家電機器に対応するサービスアプリに関連する広告アプリの音声が継続して出力される状況を回避でき、ユーザが別のサービスアプリにリモコンフォーカスを当ててクリックしたときに当該別のサービスアプリに関連する広告アプリの音声出力が行われることを可能にする。
【０１３６】
一方、広告音の出力中でない場合（Ｓ１１０７：Ｎ）は、サービスアプリ表示部２０９はポータル画面を表示する（ステップＳ１１１０）。
ユーザによるリモコン操作がポータル画面へ戻るでない場合（Ｓ１１０６：Ｎ）、入力情報処理部２０４は、ユーザによるリモコン１０２の操作が「戻る」のボタンにリモコンフォーカスを当ててクリックした操作であるか否か（下層画面から一つ上の階層の画面へ戻るであるか否か）を判断する（ステップＳ１１１１）。
【０１３７】
ユーザによるリモコン操作が下層画面から一つ上の階層の画面へ戻るである場合（Ｓ１１１１：Ｙ）、入力情報処理部２０４は、サービスアプリ表示部２０９にサービスアプリの一つ上の階層の表示指示を出す（ステップＳ１１１２）。そして、サービスアプリ表示部２０９及び広告音声出力部２０８はサービスアプリの一つ上の階層の画面の表示及びサービスアプリに対応する広告音声の出力処理を実施する（ステップＳ１１１３）。なお、ステップＳ１１１３の処理は、図７の表示／音声出力処理が該当する。
【０１３８】
これによると、表示中の下層画面から一つ上の階層の画面に戻る指示がされた場合、広告アプリの音声出力を継続する。即ち、同一の家電機器に対応するサービスアプリに対するユーザの感心が継続していると推定して、当該広告アプリの音声出力を継続する。これにより、ユーザが感心を持つ家電機器に対応するサービスアプリに関連した広告アプリの音声の出力を継続して、ユーザに適切な広告内容を訴求できる。
【０１３９】
ユーザによるリモコン操作が下層画面から一つ上の階層の画面へ戻るでない場合（Ｓ１１１１：Ｎ）、音声出力判断部２０７は、音声出力中フラグの値を見て、広告音が出力中であるか否かを判断する（ステップＳ１１１４）。広告音の出力中でない場合（Ｓ１１１４：Ｎ）、図７のステップＳ７０１が行われる。一方、広告音の出力中である場合（Ｓ１１１４：Ｙ）、音声出力判断部２０８は、出力中の広告音の停止の指示信号を音声出力部１１３へ出力する（ステップＳ１１１５）。これによって、音声出力部１１３は出力中の広告音の出力を停止する。そして、広告音声出力部２０８は、再生音選択テーブル内で、音声出力を停止した広告音に対応するキャンセルカウンタを「１」インクリメントする（ステップＳ１１１６）。ユーザによるリモコン操作が一つ上の階層にも戻るでない場合とは、例えば、サイズ変更のないサービスアプリから直接他のサービスアプリへ移動した際に発生する。
【０１４０】
この場合、音声出力中の広告音に係る家電機器に対応するサービスアプリに対するユーザの関心が薄れたと推定して、音声出力中の広告音の音声出力を停止する。これにより、ユーザの関心が薄れたと推定される家電機器に対応するサービスアプリに関連する広告アプリの音声が継続して出力される状況を回避でき、ユーザが別のサービスアプリにリモコンフォーカスを当ててクリックしたときに当該別のサービスアプリに関連する広告アプリの音声出力が行われることを可能にする。
【０１４１】
以下、図１１で示した上層画面／先頭画面遷移処理に対応する画面表示の遷移の一例を図２０、図３、図１７及び図２１を参照して説明する。
最初に、図２０及び図３を用いて、サービスアプリの下層画面から先頭画面であるポータル画面へ戻る画面表示の遷移の一例を示す。
【０１４２】
例えば、図２０に示す画面上の洗濯機アプリのリモート操作メニュー１７０１上で、ユーザが「ポータルへ戻る」のボタン１７０２にリモコンフォーカス当ててクリックすると、表示画面は図２０の画面から図３に示すポータル画面３００へ遷移する。このとき、広告音が再生されている場合は、再生が停止され、表示画面は図３に示すポータル画面３００に戻る。広告音が再生されていない場合には、サービスアプリの表示のみが変更され、表示画面は図３に示すポータル画面３００に戻る。ユーザが「ポータルへ戻る」のボタン１７０２にリモコンフォーカスを当ててクリックすることは、ユーザが操作していたサービスアプリから別のサービスアプリへ興味が移ったことが想定されるので、制御部１１２は広告アプリの音声の出力中であっても途中で停止する。
【０１４３】
次に、図１７及び図２１を用いて、表示画面がサイズ変更のないサービスアプリから他のサービスアプリへと直接遷移する一例を示す。
図１７に示すように、サイズ変更のない健康チェックアプリ１８０１ａをユーザがリモコンフォーカスを当ててクリックし、当該健康チェックアプリ１８０１ａを利用しているとする。この状態から、図２１に示すように、ユーザがリモコン１０２を操作してリモコンカーソルを洗濯機アプリ１８０２ｂへ移動した場合、健康チェックに対応する広告アプリであるフィットネスクラブの広告音声が再生中の場合は、再生が停止される。一方、広告音声が出力されていない場合には、リモコンのカーソルが洗濯機アプリへ移動するだけである。
【０１４４】
＜広告音制御処理（家電機器動作完了）＞
図２２は、図２の制御部１１２が行う広告音制御処理（家電機器動作完了）の流れを示すフローチャートである。但し、広告音制御処理（家電機器動作完了）は、サービスアプリで設定した家電機器の動作完了通知を広告アプリの音声でユーザに伝達する処理である。
【０１４５】
ユーザがリモコン１０２を利用して家電機器の動作終了通知に当該家電機器に対応するサービスアプリに関連する広告アプリの音声（広告音）の出力を設定するための操作を行う。これを受けて、制御部１１２は家電機器の動作終了通知に広告音の出力を設定する（ステップＳ１２０１）。動作終了通知を広告アプリの音声（広告音）の出力に設定しておけば、ユーザが他のサービスアプリを操作中であっても、動作終了通知として、動作が終了した家電機器に対応するサービスアプリに関連する広告アプリの音声が出力される。
【０１４６】
入力情報処理部２０４は、ユーザが動作終了通知に広告音の出力を設定した家電機器の動作の終了を待つ。そして、入力情報処理部２０４は、家電機器が動作を終了すると家電機器制御部１１５を介して動作の終了を示す入力情報２０１を受け取る（ステップＳ１２０２）。
【０１４７】
入力情報処理部２０４は、動作の終了を示す入力情報２０１を基に、サービスアプリの画面遷移を実施するか否かを判断する（ステップＳ１２０３）。なお、動作終了時にサービスアプリの画面遷移を行うか否かは、例えば各サービスアプリの条件設定に依存する。条件設定は、例えば、制御端末装置１００内で予め行われていても良く、ユーザが動作終了通知に広告音の出力を設定する際に合わせて行われても良い。
【０１４８】
サービスアプリの画面遷移を実施すると判断された場合（Ｓ１２０３：ＹＥＳ）、入力情報処理部２０４は、サービスアプリ表示部２０９にサービスアプリの表示変更の指示信号を出力する（ステップＳ１２０４）。音声出力判断部２０６は、音声出力中フラグの値を見て、広告音が出力中であるか否かを判断する（ステップＳ１２０５）。
【０１４９】
広告音が出力中でない場合（Ｓ１２０５：Ｎ）、サービスアプリ処理部２０９はサービスアプリの表示処理を行う（ステップＳ１２０８）。これとともに、広告音声出力部２０８は広告音出力処理を行う（ステップＳ１２０９）。そして、広告音声出力部２０８は、広告アプリの音声出力が完了すると、音声出力中フラグを「ＯＦＦ」にする（ステップＳ１２１０）。なお、ステップＳ１２０８で行われるサービスアプリの表示処理は、図８の処理においてユーザがリモコンフォーカスを当ててクリックしたサービスアプリが動作の終了した家電機器に対応するサービスアプリに置き換わったものである。また、ステップＳ１２０９で行われる広告音出力処理は、図９及び図１０においてユーザがリモコンフォーカスを当ててクリックしたサービスアプリが動作の終了した家電機器に対応するサービスアプリに置き換わったものである。
【０１５０】
一方、広告音が出力中である場合（Ｓ１２０５：Ｙ）、広告音声出力部２０８は、出力中の広告音の停止の指示信号を音声出力部１１３へ出力する（ステップＳ１２０６）。これによって、音声出力部１１３は出力中の広告音の出力を停止する。そして、広告音声出力部２０８は、再生音選択テーブル内で、音声出力を停止した広告音に対応するキャンセルカウンタを「１」インクリメントする（ステップＳ１２０７）。その後、サービスアプリ処理部２０９はサービスアプリの表示処理を行う（ステップＳ１２０８）。これとともに、広告音声出力部２０８は広告音出力処理を行う（ステップＳ１２０９）。そして、広告音声出力部２０８は、広告アプリの音声出力が完了すると、音声出力中フラグを「ＯＦＦ」にする（ステップＳ１２１０）。
【０１５１】
一方、サービスアプリの画面遷移を実施しないと判断された場合（Ｓ１２０３：ＮＯ）、音声出力判断部２０６は、音声出力中フラグの値を見て、広告音の出力中であるか否かを判断する（ステップＳ１２１１）。
【０１５２】
広告音が出力中でない場合（Ｓ１２１１：Ｎ）、広告音声出力部２０８は、広告音声出力処理を行い（ステップＳ１２１４）、広告アプリの音声出力が完了すると、音声出力中フラグを「ＯＦＦ」にする（ステップＳ１２１５）。なお、ステップＳ１２１４で行われる広告音出力処理は、図９及び図１０においてユーザがリモコンフォーカスを当ててクリックしたサービスアプリが動作の終了した家電機器に対応するサービスアプリに置き換わったものである。
【０１５３】
一方、広告音が出力中である場合（Ｓ１２１１：Ｙ）、音声出力判断部２０６は、出力中の広告音の停止の指示信号を音声出力部１１３へ出力する（ステップＳ１２１２）。これによって、音声出力部１１３は出力中の広告音の出力を停止する。そして、広告音声出力部２０８は、再生音選択テーブル内で、音声出力を停止した広告音に対応するキャンセルカウンタを「１」インクリメントする（ステップＳ１２１３）。そして、広告音声出力部２０８は、広告音出力処理を行い（ステップＳ１２１４）、広告アプリの音声出力が完了すると、音声出力中フラグを「ＯＦＦ」にする（ステップＳ１２１５）。
【０１５４】
以下、図２２で示した広告音制御処理（家電機器動作完了）に対応する画面表示の遷移の一例を図２３及び図２４を参照して説明する。
ユーザは、炊飯器アプリの動作完了通知として広告音を設定したとする。炊飯器アプリは、動作完了時に画像遷移が行われないサービスアプリとする。炊飯器アプリは、「おかずレトルト食品」の広告アプリと関連付けられている。
【０１５５】
図２３の炊飯器アプリ１４０１ａが動作完了すると、図２４に示すように、炊飯器アプリ１４０２ｂの表示が「［炊飯時間］  残り：０分」となり、動作完了をユーザに通知する。このとき、炊飯器アプリに対応する広告アプリの音声又は他の広告アプリの音声が出力されている場合には、前記広告アプリの音声又は前記他の広告アプリの音声の再生が停止され、前記炊飯器アプリに対応する「おかずレトルト食品」の広告アプリの音声が出力される。炊飯器アプリの動作完了時、広告音が再生されていない場合は、即、「おかずレトルト食品」の広告音が出力される。制御部１１２は、再生中の広告アプリの音声を停止し、新たに、炊飯器アプリに対応する「おかずレトルト食品」の広告の音声を出力することで、ユーザに、動作完了を的確に伝達することができる。また、ユーザが動作完了を待っている場合は、動作完了時の音声に集中しているので、広告効果を高めることができる。
【０１５６】
以上により、ある家電機器の動作終了通知により対応するサービスアプリの下層画面を表示することにより、これに連動して対応する広告アプリの音声が出力される。これにより、広告アプリの音声は広告内容の音声という本来の機能に加えて、家電機器の動作終了をユーザに報知する機能を兼ねる。その結果、ユーザが現在使用中の家電機器に対してその家電機器に関連する広告を出力できる。そのため、広告主にとってはユーザに広告を適切なタイミングで訴求できると共に、ユーザにとっては広告の音声により関連する家電機器を想起しやすく、その動作終了を認知しやすいという効果がある。
【０１５７】
≪補足≫
本発明は上記の実施の形態で説明した内容に限定されず、本発明の目的とそれに関連又は付随する目的を達成するためのいかなる形態においても実施可能であり、例えば、以下であってもよい。
【０１５８】
（１）第１の実施の形態では、制御端末装置がデジタルレコーダ機器であるとしたが、これに限られるものではなく、制御端末装置は表示装置を持つ例えばテレビ、携帯電話機、パーソナルコンピュータ等の家電機器であってもよい。
【０１５９】
（２）第１の実施の形態では、宅内の家電機器の数を４つとしたが、これに限られるものではなく、宅内の家電機器の数は３つや５つなどであってもよく、宅内の家電機器の数は制限されるものではない。
【０１６０】
（３）第１の実施の形態の制御端末装置１００は、サービスアプリサーバ１０７から、随時更新されるサービスアプリを、インターネットＮＷ２を介して受信し、記憶部１１１に保存することが可能である。また、第１の実施の形態の制御端末装置１００は、広告アプリサーバ１０８から、随時更新される広告アプリを、インターネットＮＷ２を介し受信し、記憶部１１１に保存することが可能である。
【０１６１】
（４）第１の実施の形態では、サービスアプリが洗濯機アプリ、健康チェックアプリ、電子レンジアプリ、炊飯器アプリであるとして説明したが、サービスアプリはこれに限るものではない。また、広告アプリが洗剤、高温対応ラップ、レトルト食品、フィットネスクラブに関連する広告アプリとして説明したが、広告アプリはこれに限るものではない。
【０１６２】
（５）第１の実施の形態では、ライフターゲティングテーブル生成時に、洗濯機アプリに、キーワード「洗剤」で洗剤の広告アプリを関連付けたが、これに限るものではない。
（６）第１の実施の形態では、優先順位「ＮＵＬＬ」の広告音に対応する再生条件として、「再生済みカウンタのトータル数が７で割り切れる」を設定したが、これに限るものではない。
【０１６３】
（７）第１の実施の形態では、再生音選択テーブルのフォーマットをｘｍｌ（Extensible Markup Language）としたが、再生音選択テーブルのフォーマットはこれに限るものではなく、再生音選択テーブルのフォーマットとして各種フォーマットを利用することができる。また、ライフターゲティングテーブルのフォーマットとしてｘｍｌ、ｃｓｖ（Comma Separated Values）等、各種フォーマットを利用することができる。
【０１６４】
（８）第１の実施の形態では、ユーザがサービスアプリを選択し、サービスアプリに対応する広告アプリの音声を出力したが、広告アプリの音声出力と同時に、広告アプリの表示形態を変更してもよい。
【０１６５】
（９）第１の実施の形態における図７などの説明では、ライフターゲティング管理部２０６が、ライフターゲティングテーブル及び再生音選択テーブルを作成済みであるした。しかしながら、ライフターゲティング管理部２０６がライフターゲティングテーブル及び再生音選択テーブルを生成するのは、制御部１１２が動作中であっても良い。また、ライフターゲティング管理部２０６が、ライフターゲティングテーブル及び再生音選択テーブルを生成するのは、制御端末装置１００が、図１に示したサービスアプリサーバ１０７及び広告アプリサーバ１０８から新しいサービスアプリ及び広告アプリを取得した時点でも良い。
【０１６６】
（１０）第１の実施の形態では、家電機器からの動作終了通知に当該家電機器に対応するサービスアプリに関連した広告アプリの広告音を利用するものである。しかしながら、これに限られるものではなく、自宅への来客の通知にインターフォンに関連するサービスアプリを用いて当該サービスアプリに関連する広告アプリの広告音を利用するなど、家電機器の動作開始通知又は家電機器へ外部からの入力があったことの通知に広告アプリの広告音を用いても良い。
【０１６７】
（１１）第１の実施の形態で説明した図７から図１１及び図２２に示す動作フローの手順をプログラムに記載し、記載したプログラムをコンピュータが読み取り可能な記録媒体に格納し、記録媒体を頒布するようにしてもよい。
【０１６８】
（１２）第１の実施の形態などで説明した制御部はＣＰＵやＭＰＵで動作するソフトウェア構成に限られるものではなく、例えば、ハードウェア構成で実現されてもよい。この場合は、典型的には集積回路であるＬＳＩ（Large Scale Integration）として実現されてもよい。これらは、個別に１チップ化されてもよいし、各実施の形態の全ての構成または一部の構成を含むように１チップ化されてもよい。
【０１６９】
ここでは、ＬＳＩとしたが、集積度の違いにより、ＩＣ（Integrated Circuit）、システムＬＳＩ、スーパーＬＳＩ、ウルトラＬＳＩと呼称されることもある。
また、集積回路化の手法はＬＳＩに限られるものではなく、専用回路または汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。
【０１７０】
さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【産業上の利用可能性】
【０１７１】
本発明は、ユーザに広告の音声を提供する表示機能を持つ各種の機器において利用することができる。
【符号の説明】
【０１７２】
１００  制御端末装置
１０１  表示装置
１０２  リモコン
１０３〜１０６  家電機器
１０７  サービスアプリサーバ
１０８  広告アプリサーバ
１０９  通信インタフェース部
１１０  インタフェース部
１１１  記憶部
１１２  制御部
１１３  音声出力部
１１４  映像出力部
１１５  家電機器制御部
２０４  入力情報処理部
２０５  アプリ・広告識別部
２０６  ライフターゲティング管理部
２０７  音声出力判断部
２０８  広告音声出力部
２０９  サービスアプリ表示部
【図１】
0005421283.tif 000002
【図２】
0005421283.tif 000003
【図３】
0005421283.tif 000004
【図４】
0005421283.tif 000005
【図５】
0005421283.tif 000006
【図６】
0005421283.tif 000007
【図７】
0005421283.tif 000008
【図８】
0005421283.tif 000009
【図９】
0005421283.tif 000010
【図１０】
0005421283.tif 000011
【図１１】
0005421283.tif 000012
【図１２】
0005421283.tif 000013
【図１３】
0005421283.tif 000014
【図１４】
0005421283.tif 000015
【図１５】
0005421283.tif 000016
【図１６】
0005421283.tif 000017
【図１７】
0005421283.tif 000018
【図１８】
0005421283.tif 000019
【図１９】
0005421283.tif 000020
【図２０】
0005421283.tif 000021
【図２１】
0005421283.tif 000022
【図２２】
0005421283.tif 000023
【図２３】
0005421283.tif 000024
【図２４】
0005421283.tif 000025